(57)【特許請求の範囲】
【請求項１】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、
前記基地局は、前記移動局と下り制御チャネルを設定して前記移動局にデータ送信通知を送信する手段を含み、
前記移動局は、前記上り制御チャネル設定中に、前記データ送信通知に応答して、前記基地局へ所定の間隔で前記品質情報の送信を開始する手段を含むことを特徴とする移動通信システム。
【請求項２】
前記移動局は、さらに、前記上り制御チャネル設定中に、前記データ送信の終了通知に応答して、前記品質情報の送信を停止する手段を含むことを特徴とする請求項１に記載の移動通信システム。
【請求項３】
基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、
前記移動局は、データの受信に応答して、所定の間隔で前記品質情報を送信する手段と、前記上り制御チャネルを用いて前記品質情報を送信中であることを示す指示情報を送信する手段とを含むことを特徴とする移動通信システム。
【請求項４】
前記移動局は、データ受信の終了に応答して、前記品質情報の送信を停止する手段を含むことを特徴とする請求項１または３に記載の移動通信システム。
【請求項５】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、
前記基地局は、前記移動局と下り制御チャネルを設定して前記移動局に閾値を通知する手段を含み、
前記移動局は、前記上り制御チャネル設定中に、前記閾値と前記受信品質の比較結果に応答して、前記基地局へ前記品質情報の送信を所定の間隔で制御する手段を含むことを特徴とする移動通信システム。
【請求項６】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、
前記基地局は、前記移動局と下り制御チャネルを設定して、前記移動局へのデータ送信に応じて前記移動局に前記品質情報の報告を要求することを示す指示情報を送信する手段を含み、
前記移動局は、前記指示情報に応答して前記基地局に所定の間隔で前記品質情報を送信する手段を含むことを特徴とする移動通信システム。
【請求項７】
前記基地局は、前記移動局へのデータ送信に応じて前記移動局に前記品質情報の報告の停止を要求することを示す指示情報を送信する手段を含み、
前記移動局は、前記指示情報に応答して前記基地局への前記品質情報の送信を停止する手段を含むことを特徴とする請求項６に記載の移動通信システム。
【請求項８】
前記所定の間隔は、可変されることを特徴とする請求項１から７のいずれか１項に記載の移動通信システム。
【請求項９】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、
前記基地局は、前記移動局と下り制御チャネルを設定して前記移動局にデータ送信通知を送信するステップを含み、
前記移動局は、前記上り制御チャネル設定中に、前記データ送信通知に応答して、前記基地局へ所定の間隔で前記品質情報の送信を開始するステップを含むことを特徴とする通信制御方法。
【請求項１０】
前記移動局は、さらに、前記上り制御チャネル設定中に、前記データ送信の終了通知に応答して、前記品質情報の送信を停止するステップを含むことを特徴とする請求項９に記載の通信制御方法。
【請求項１１】
基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、
前記移動局は、データの受信に応答して、所定の間隔で前記品質情報を送信するステップと、前記上り制御チャネルを用いて前記品質情報を送信中であることを示す指示情報を送信するステップとを含むことを特徴とする通信制御方法。
【請求項１２】
前記移動局は、データ受信の終了に応答して、前記品質情報の送信を停止するステップを含むことを特徴とする請求項９または１１に記載の通信制御方法。
【請求項１３】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、
前記基地局は、前記移動局と下り制御チャネルを設定して前記移動局に閾値を通知するステップを含み、
前記移動局は、前記上り制御チャネル設定中に前記閾値と前記受信品質の比較結果に応答して、前記基地局への前記品質情報の送信を所定の間隔で制御するステップを含むことを特徴とする通信制御方法。
【請求項１４】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、
前記基地局は、前記移動局と下り制御チャネルを設定して、前記移動局へのデータ送信に応じて前記移動局に前記品質情報の報告を要求することを示す指示情報を送信するステップを含み、
前記移動局は、前記指示情報に応答して前記基地局に前記品質情報を所定の間隔で送信するステップを含むことを特徴とする通信制御方法。
【請求項１５】
前記基地局は、前記移動局へのデータ送信に応じて前記移動局に前記品質情報の報告の停止を要求することを示す指示情報を送信するステップを含み、
前記移動局は、前記指示情報に応答して前記基地局への前記品質情報の送信を停止するステップを含むことを特徴とする請求項１４に記載の通信制御方法。
【請求項１６】
前記所定の間隔は、可変されることを特徴とする請求項９から１５のいずれか１項に記載の通信制御方法。
【請求項１７】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、
前記基地局と下り制御チャネルを設定して、前記基地局から、データ送信通知を受信する手段と、
前記上り制御チャネル設定中に、前記データ送信通知に応答して、前記基地局へ所定の間隔で前記品質情報の送信を開始する手段とを含むことを特徴とする移動局。
【請求項１８】
前記データ送信の終了通知に応答して、前記品質情報の送信を停止する手段を含むことを特徴とする請求項１７に記載の移動局。
【請求項１９】
基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、
データの受信に応答して、所定の間隔で前記品質情報を送信する手段と、
前記上り制御チャネルを用いて前記品質情報を送信中であることを示す指示情報を送信する手段とを含むことを特徴とする移動局。
【請求項２０】
データ受信の終了に応答して、前記品質情報の送信を停止する手段を含むことを特徴とする請求項１７または１９に記載の移動局。
【請求項２１】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、
前記基地局と下り制御チャネルを設定して、前記基地局から、閾値を受信する手段と、
前記上り制御チャネル設定中に、前記閾値と前記受信品質の比較結果に応答して、前記基地局への前記品質情報の送信を所定の間隔で制御する手段とを含むことを特徴とする移動局。
【請求項２２】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデー
タの送信制御をなすようにした移動通信システムにおける移動局であって、
前記基地局と下り制御チャネルを設定して、データ送信に応じて前記品質情報の報告を要求することを示す指示情報を送信する前記基地局から、前記指示情報を受信する手段と、
前記指示情報に応答して前記基地局に前記品質情報を所定の間隔で送信する手段とを含むことを特徴とする移動局。
【請求項２３】
データ送信に応じて前記品質情報の報告の停止を要求することを示す指示情報を送信する前記基地局から、前記指示情報を受信する手段を含と、前記指示情報に応答して前記基地局への前記品質情報の送信を停止する手段とを含むことを特徴とする請求項２２に記載の移動局。
【請求項２４】
前記所定の間隔は、可変されることを特徴とする請求項１７から２３のいずれか１項に記載の移動局。
【請求項２５】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、
前記移動局と下り制御チャネルを設定して前記移動局にデータ送信通知を送信する手段と、
前記上り制御チャネル設定中に、前記データ送信通知に応答して所定の間隔で前記品質情報を送信する前記移動局から、前記品質情報を受信する手段とを含むことを特徴とする基地局。
【請求項２６】
基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、
前記移動局から、所定の間隔で前記品質情報を受信する手段と、
前記移動局から、前記上り制御チャネルを用いて前記品質情報を送信中であることを示す指示情報を受信する手段とを含むことを特徴とする基地局。
【請求項２７】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、
前記移動局と下り制御チャネルを設定して前記移動局に閾値を通知する手段と、
前記上り制御チャネル設定中に前記閾値と前記受信品質の比較結果に応答して所定の間隔で前記品質情報を送信する前記移動局から、前記品質情報を受信する手段とを含むことを特徴とする基地局。
【請求項２８】
基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて所定の間隔で前記基地局へ送信し、前記基地局は、前記品質情報を用いて移動局に対するデータの送信制御をなすようにした移動通信システムにおける基地局であって、
前記移動局と下り制御チャネルを設定して、前記移動局へのデータ送信に応じて前記移動局に前記品質情報の報告を要求することを示す指示情報を送信する手段と、
前記上り制御チャネル設定中に前記移動局から前記品質情報を受信する手段とを含むことを特徴とする基地局。
【請求項２９】
前記移動局へのデータ送信に応じて前記移動局に前記品質情報の報告の停止を要求することを示す指示情報を送信する手段を含むことを特徴とする請求項２８に記載の基地局。
【請求項３０】
前記所定の間隔は、可変されていることを特徴とする請求項２５から２９のいずれか１項に記載の基地局。
【発明の詳細な説明】
【０００１】
【発明の属する技術分野】
本発明は移動通信システム及び通信制御方法並びにそれに用いる基地局、移動局に関し、特に基地局から移動局への下り回線に高速データを伝送する高速下りパケット伝送（ＨＳＤＰＡ：High Speed Downlink Packet Access ）方式に用いて好適な移動通信システム及び通信制御方法並びにそれに用いる基地局、移動局に関するものである。
【０００２】
【従来の技術】
この種の高速下りパケット伝送（ＨＳＤＰＡ）方式が３ＧＰＰ（3rd Generation Partnership Project）で検討されている。このＨＳＤＰＡ方式では、基地局から移動局への下り回線の伝送のために、高速下り共用チャネル（ＨＳ−ＰＤＳＣＨ：High Speed-Physical Downlink Shared Channel)が使用される。このＨＳ−ＰＤＳＣＨは、パケットデータを送信するためのものであり、複数の移動局で時間的にシェア（時分割）することで、１本のＨＳ−ＰＤＳＣＨを共用して使うことができる。
【０００３】
ＨＳＤＰＡ方式では、基地局から移動局へのデータ送信を制御するために、基地局と複数の移動局の各々との間で上り個別チャネル（ＤＰＣＨ：Dedicated Physical Control Channel）と、上り品質制御用チャネル（ＨＳ−ＤＰＣＣＨ：High Speed-Dedicated Physical Control Channel ）を設定する。ＵＬ（上り回線：UpLink  ）ＤＰＣＨは移動局から基地局に移動局へのデータ送信タイミング情報などの制御情報を送信するために用いられる。また、ＵＬ  ＨＳ−ＤＰＣＣＨは、移動局が基地局にＨＡＲＱ（Hybrid-Automatic Repeat reQuest ：自動再送要求［その意味は後述］）のＡＣＫ／ＮＡＣＫ（Acknowledge/Negative Acknowledge）情報と品質情報とを送信するために用いられる。
【０００４】
ここで、品質とは、共通パイロット信号（ＣＰＩＣＨ：Common Pilot Channel）の品質（Ｅc ／Ｉo ：［チップ当りのエネルギ／単位周波数当りの干渉波電力］）を指す。
【０００５】
【発明が解決しようとする課題】
従来のかかるＨＳＤＰＡ方式では、ＨＳ−ＰＤＳＣＨの設定の開始からＵＬ  ＤＰＣＨとＵＬ  ＨＳ−ＤＰＣＣＨの設定を継続するために、品質情報を送信する必要のない多数の移動局、即ち、パケット受信をしない多数の移動局がＨＳ−ＤＰＣＣＨを設定しており、ＵＬの干渉波電力が大きくなる問題点や、上りの無線回線容量を著しく制限してしまうという問題点があった。
【０００６】
更に、移動局が品質情報を継続的に送信するので消費電力が大きくなり、バッテリーの動作時間が短くなるという問題点があった。更に、基地局は所定のタイミングと間隔で品質情報の送信を行うので、基地局が該移動局にデータを送信するタイミングで品質情報を受信できないという問題点があった。
【０００７】
本発明の目的は、移動局の消費電力の削減を図ることが可能な移動通信システム及び通信制御方法並びにそれに使用する移動局、基地局を提供することである。
【０００８】
本発明の他の目的は、上り回線の干渉波電力を低減でき、上り回線容量の増加を可能とした移動通信システム及び通信制御方法並びにそれに使用する移動局、基地局を提供することである。
【０００９】
【課題を解決するための手段】
本発明による移動通信システムは、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、前記基地局は、前記移動局と下り制御チャネルを設定して前記移動局にデータ送信通知を送信する手段を含み、前記移動局は、前記上り制御チャネル設定中に、前記データ送信通知に応答して、前記基地局へ所定の間隔で前記品質情報の送信を開始する手段を含むことを特徴とする。
【００１０】
本発明による他の移動通信システムは、基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、前記移動局は、データの受信に応答して、所定の間隔で前記品質情報を送信する手段と、前記上り制御チャネルを用いて前記品質情報を送信中であることを示す指示情報を送信する手段とを含むことを特徴とする。
【００１１】
本発明による更に他の移動通信システムは、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、前記基地局は、前記移動局と下り制御チャネルを設定して前記移動局に閾値を通知する手段を含み、前記移動局は、前記上り制御チャネル設定中に前記閾値と前記受信品質の比較結果に応答して、前記基地局へ前記品質情報の送信を所定の間隔で制御する手段を含むことを特徴とする。
【００１２】
本発明による別の移動通信システムは、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムであって、前記基地局は、前記移動局と下り制御チャネルを設定して、前記移動局へのデータ送信に応じて前記移動局に前記品質情報の報告を要求することを示す指示情報を送信する手段を含み、前記移動局は、前記指示情報に応答して前記基地局に所定の間隔で前記品質情報を送信する手段を含むことを特徴とする。
【００１３】
本発明による通信制御方法は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、前記基地局は、前記移動局と下り制御チャネルを設定して前記移動局にデータ送信通知を送信するステップを含み、前記移動局は、前記上り制御チャネル設定中に、前記データ送信通知に応答して、前記基地局へ所定の間隔で前記品質情報の送信を開始するステップを含むことを特徴とする。
【００１４】
本発明による他の通信制御方法は、基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、前記移動局は、データの受信に応答して、所定の間隔で前記品質情報を送信するステップと、前記上り制御チャネルを用いて前記品質情報を送信中であることを示す指示情報を送信するステップとを含むことを特徴とする。
【００１６】
本発明による別の通信制御方法は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、前記基地局は、前記移動局と下り制御チャネルを設定して前記移動局に閾値を通知するステップを含み、前記移動局は、前記上り制御チャネル設定中に前記閾値と前記受信品質の比較結果に応答して、前記基地局への前記品質情報の送信を所定の間隔で制御するステップを含むことを特徴とする。
【００１７】
本発明による更に別の通信制御方法は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける通信制御方法であって、前記基地局は、前記移動局と下り制御チャネルを設定して、前記移動局へのデータ送信に応じて前記移動局に前記品質情報の報告を要求することを示す指示情報を送信するステップを含み、前記移動局は、前記指示情報に応答して前記基地局に前記品質情報を所定の間隔で送信するステップを含むことを特徴とする。
【００１８】
本発明による移動局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、前記基地局と下り制御チャネルを設定して、前記基地局から、データ送信通知を受信する手段と、前記上り制御チャネル設定中に、前記データ送信通知に応答して、前記基地局へ所定の間隔で前記品質情報の送信を開始する手段とを含むことを特徴とする。
【００１９】
本発明による他の移動局は、基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、データの受信に応答して、所定の間隔で前記品質情報を送信する手段と、前記上り制御チャネルを用いて前記品質情報を送信中であることを示す指示情報を送信する手段とを含むことを特徴とする。
【００２０】
本発明による更に他の移動局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、前記基地局と下り制御チャネルを設定して、前記基地局から、閾値を受信する手段と、前記上り制御チャネル設定中に前記閾値と前記受信品質の比較結果に応答して、前記基地局への前記品質情報の送信を所定の間隔で制御する手段とを含むことを特徴とする。
【００２１】
本発明による別の移動局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける移動局であって、前記基地局と下り制御チャネルを設定して、データ送信に応じて前記品質情報の報告を要求することを示す指示情報を送信する前記基地局から、前記指示情報を受信する手段と、前記上り制御チャネル設定中に前記指示情報に応答して前記基地局に前記品質情報を所定の間隔で送信する手段とを含むことを特徴とする。
【００２２】
本発明による基地局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、前記移動局と下り制御チャネルを設定して前記移動局にデータ送信通知を送信する手段と、前記上り制御チャネル設定中に、前記データ送信通知に応答して所定の間隔で前記品質情報を送信する前記移動局から、前記品質情報を受信する手段とを含むことを特徴とする。
【００２３】
本発明による他の基地局は、基地局と移動局を含み、前記基地局は、下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、前記移動局から、所定の間隔で前記品質情報を受信する手段と、前記移動局から、前記上り制御チャネルを用いて前記品質情報を送信中であることを示す指示情報を受信する手段とを含むことを特徴とする。
【００２４】
本発明による更に他の基地局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて前記基地局へ送信し、前記基地局は、前記品質情報を用いて移動局に対するデータの送信制御をなすようにした移動通信システムにおける基地局であって、前記移動局と下り制御チャネルを設定して前記移動局に閾値を通知する手段と、前記下り制御チャネル設定中に前記閾値と前記受信品質の比較結果に応答して所定の間隔で前記品質情報を送信する前記移動局から、前記品質情報を受信する手段とを含むことを特徴とする。
【００２５】
本発明による別の基地局は、基地局と移動局を含み、前記基地局は、下り共用チャネルを用いて下り信号を送信し、前記移動局は、前記基地局と上り制御チャネルを設定し、前記下り信号の受信品質を測定して前記受信品質に応じた品質情報を前記上り制御チャネルを用いて所定の間隔で前記基地局へ送信し、前記基地局は、前記品質情報を用いて移動局に対するデータの送信制御をなすようにした移動通信システムにおける基地局であって、前記移動局と下り制御チャネルを設定して、前記移動局へのデータ送信に応じて前記移動局に前記品質情報の報告を要求することを示す指示情報を送信する手段と、前記下り制御チャネル設定中に前記移動局から前記品質情報を受信する手段とを含むことを特徴とする。
【００２６】
本発明の作用を述べる。基地局は移動局と上り制御チャネルを設定してパイロット信号を送信し、移動局はこのパイロット信号の受信品質を測定して上り品質制御チャネルを用いて品質情報を基地局へ送信し、基地局はこの品質情報を用いて移動局に対するデータの送信制御をなすようにしたＨＳＤＰＡ方式の移動通信システムにおいて、移動局において、上り品質制御チャネル設定中に、品質情報の送信開始及び停止制御をなすように構成する。すなわち、必要な場合にだけ、移動局から品質情報を基地局へ送信制御することになるので、移動局の消費電力の削減、上り回線の干渉波電力の削減、上り回線の容量の増大などの効果が生じる。
【００２７】
【発明の実施の形態】
以下に、図面を参照しつつ本発明の実施例につき詳述する。図１は本発明の第１の実施例における移動局の基本構成の一例を示すブロック図であり、図２は基地局の基本構成の一例を示すブロック図である。
【００２８】
図１を参照すると、アンテナからの受信波は送受信共用器（ＤＵＰ）１１を介して受信部１２へ供給され復調される。復調出力はチャネル分離部１３によりユーザ情報と制御情報に分離される。制御情報のうち下り個別チャネル（以下、ＤＬ［Ｄｏｗｎｌｉｎｋ］）ＤＰＣＨ（ＤＰＣＣＨ）はＤＰＣＣＨ検出部１４により検出され、送信制御部１５に供給される。送信制御部１５はＤＬ  ＤＰＣＣＨを解析し、品質情報を基地局に送信する必要がある場合、スイッチ１７をオンにしてＣＰＩＣＨ検出部１６の検出結果を電力測定部１８に供給する。
【００２９】
また、送信制御部１５はＤＬ  ＤＰＣＣＨを解析して、品質情報などの制御情報を基地局に送信する必要がないと判断した場合、上りのチャネルを開放する。共通パイロットチャネルＣＰＩＣＨは検出部１６により検出され、スイッチ１７がオンの場合、電力測定部１８にて受信電力の測定が行われ、送信制御部１５に供給される。送信制御部１５では、基地局に送信する品質情報などの制御情報を作成し合成部１９に供給し、合成部１９が送信情報として生成する。
【００３０】
ここで、品質情報とは、共通パイロット信号（ＣＰＩＣＨ：Common Pilot Channel) の受信品質（Ｅc ／Ｉo ：［チップ当りのエネルギ／単位周波数当りの干渉波電力］）を指す。送信情報は送信部２０へ供給され変調処理されることにより、ＤＵＰ１１を介して基地局へ送信される。
【００３１】
図２を参照すると、アンテナからの受信波は送受信共用器（ＤＵＰ）２１を介して受信部２２へ入力され、復調処理等を受け情報分離部２３へ供給される。情報分離部２３では、ユーザ情報と各種制御情報とが分離され、制御情報が送信制御部２４へ出力される。送信制御部２４では、情報分離部２３より供給される制御情報である品質情報から送信電力を決定した移動局のユーザデータと、該移動局に通知する制御情報を作成して合成部２５に供給し、合成部２５が送信情報として生成する。送信情報は送信部２６へ供給され変調処理等を施され、ＤＵＰ２１を介して移動局へ送信される。
【００３２】
次に、図３〜７を参照して本実施例の動作について詳細に説明する。図３、図４は本発明の実施例の動作を示すフローチャートである。図３は基地局の処理動作を示すフローチャートであり、移動局に対して通知する制御情報であるデータ送信の予告通知とデータ送信の終了通知を行う基地局の処理動作が実現される。また、図４は移動局の動作を示すフローチャートであり、基地局に対する品質情報の報告と上り品質制御用チャネルの開放処理を行う移動局の処理動作が実現される。
【００３３】
本実施例では、基地局が送信するデータ送信の予告通知を受信した後、移動局が品質情報を送信し、データ送信の終了通知を受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。
【００３４】
図３を参照すると、基地局は移動局が要求したパケットデータが自身に到着したか判定し（Ｓ１）、到着していれば、移動局に送信するデータのパケットスケジュールを確認し、個別チャネルＤＬ  ＤＰＣＨを用いて該移動局にデータ送信の予告通知を行う（Ｓ２）。パケットデータが自身に到着するとは、移動局の要求したデータが提供先から基地局のバッファに到着したことを指す。提供先の例としてＷｅｂサーバがある。次に、パケットデータを送信する際、送信するパケットデータが移動局に送信する最後のパケットデータか判定し（Ｓ３）、最後であれば、個別チャネルＤＬ  ＤＰＣＨを用いて該移動局にデータ送信の終了通知を行う（Ｓ４）。
【００３５】
図４を参照すると、移動局はパケットデータの要求をしたか判定し（Ｓ１０１）、要求をしていればユーザや制御情報を通信するためにチャネル設定を、基地局もしくは基地局制御装置との間で行う（Ｓ１０２）。次に、移動局は基地局からデータ送信の予告通知を受信したか判定し（Ｓ１０３）、受信していれば、基地局に品質情報を送信する（Ｓ１０４）。次に、基地局からデータ送信の終了通知を受信したか判定し（Ｓ１０５）、受信していれば、新たにパケットデータを要求していないか判定する（Ｓ１０６）。所定の時間発生しないことを確認したら（Ｓ１０７）、設定した上り（以下、ＵＬ［Ｕｐｌｉｎｋ］）  ＨＳ−ＤＰＣＣＨを開放する（Ｓ１０８）。
【００３６】
図５、６に本実施例の原理の概念図を示す。ＨＳＤＰＡ方式では基地局から移動局へのデータ送信を制御するために、ＵＬ  ＤＰＣＨとＵＬ  ＨＳ−ＤＰＣＣＨを設定する。本実施例では、品質情報の送信制御で、ＵＬ  ＤＰＣＨの制御データを用いないので、図にＵＬ  ＤＰＣＨを記載していない。
【００３７】
図５は移動局がデータ送信の予告通知を受信後、所定のタイミングから品質情報を、所定の間隔で送信している様子を示している。本実施例（以下の他の実施例においても）では、送信する間隔を３ＴＴＩ（Transmission Time Interval）で一定としているが、実施にあたっては一定でも可変でもよい。図６は移動局がデータ送信の終了通知を受信後、品質情報の送信を停止する様子を示している。本実施例では、ＵＬ  ＨＳ−ＤＰＣＣＨを開放して品質情報の送信を停止しているが、送信電力を小さくすることで品質情報の送信の停止を実現してもよい。
【００３８】
図７にデータ送信の予告通知を送信するＤＬ  ＤＰＣＨ（Dedicated Physical Channel）と、品質情報を送信するＵＬ  ＨＳ−ＤＰＣＣＨ（HS-DPCCH : High Speed-Dedicated Physical Control Channel）の各フォーマットの例を示す。ＤＬ  ＤＰＣＨはＤＰＣＣＨとＤＰＤＣＨ（Dedicated Physical Data Channel ）からなり、ＤＬ  ＤＰＣＨは送信電力制御情報（ＴＰＣ）と、ＴＦＣＩ（Transport Format Combination Indicator) と、パイロット（Ｐｉｌｏｔ）信号（個別）と、ユーザデータとを有している。ＴＦＣＩとは、上りのＤＰＤＣＨの受信フレームに多重されているトランスポートチャネルの個数と、また、各トランスポートチャネルが使用しているトランスポートフォーマットの情報を表す。本発明の実施例では、ＴＦＣＩの領域の一部をデータ送信予告通知用のビットとして使っている。ＤＬ  ＤＰＣＨの代りにＤＬの共用チャネルを使用してもよい。
【００３９】
ＵＬ  ＨＳ−ＤＰＣＣＨは上りの制御用チャネルで、品質情報、ＨＡＲＱのＡＣＫ／ＮＡＣＫを送信するために用いられ、実施例のフォーマットでは、品質情報、ＨＡＲＱのＡＣＫ／ＮＡＣＫ、その他の通信データの順に１ＴＴＩ毎にデータの内容が変化する。ここで、ＨＡＲＱとは、移動局が受信シンボルを検査して再送してもらうか判断する方式を指す。受信が成功した場合、ＡＣＫを送信する。
【００４０】
次に、本発明の第２の実施例について説明する。先の第１の実施例では、図３のフローチャートのＳ４において基地局がデータ送信の終了通知を行っているが、この第２の実施例ではこれを行わない。第２の実施例では、移動局が最後のパケットデータを受信したと判定すると、品質情報の報告を停止する。本実施例では、基地局が送信するデータ送信の予告通知を受信した後、移動局が品質情報を送信し、最後のパケットデータを受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。
【００４１】
図８、図９はこの第２の実施例の動作を示すフローチャートである。図８は基地局の動作を示すフローチャートであり、第１の実施例の図３のフローチャートからＳ４を削除したものになっている。即ち、移動局に対して通知する制御情報はデータ送信の予告通知のみである。図９は移動局の動作を示すフローチャートであり、第１の実施例の図４のフローチャートのＳ１０５の処理をＳ１１１に変更したものになっている。即ち、品質情報を送信した後（Ｓ１０４）、最後のパケットデータを受信したか判定し（Ｓ１１１）、最後であれば、新たにパケットデータを要求していないか判定する（Ｓ１０６）。
【００４２】
図１０にこの第２の実施例の原理の概念図を示す。図１０は移動局が全パケットデータの受信の終了後、品質情報の送信を停止する様子を示している。本実施例では、ＵＬ  ＨＳ−ＤＰＣＣＨを開放して品質情報の送信を停止しているが、送信電力を小さくすることで品質情報の送信の停止を実現してもよい。
【００４３】
次に、本発明の第３の実施例を説明する。先の第２の実施例では、図９のフローチャートのＳ１０３において、移動局が基地局からデータ送信の予告通知を受信したか判定しているが、この第３の実施例ではこれを行わず、品質情報の送信と同時に、ＵＬ  ＤＰＣＨで品質情報を送信中であることを示す指示情報（以下、Feedback Indicator）を送信する。移動局がFeedback Indicatorを送信することで、基地局は移動局が品質情報を送信していることを判定することができる。
【００４４】
本実施例では、基地局との間でチャネル設定をしてから所定のタイミングで、移動局が品質情報を送信し、最後のパケットデータを受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。更に、品質情報を送信する場合に、Feedback Indicatorを送信するので、基地局が確実に品質情報を受信することができる。
【００４５】
図１１、図１２はこの第３の実施例の動作を示すフローチャートである。図１１は基地局の動作を示すフローチャートであり、先の第２の実施例の図８のフローチャートらＳ２を削除したものになっている。即ち、基地局は移動局に対して制御情報の通知を行わない。移動局が要求したパケットデータが到着したか判定し（Ｓ１）、到着していればスケジューリングに従って、移動局にデータを送信し、送信するパケットデータが最後のパケットであるか判定し（Ｓ３）、最後であれば、処理を終了する。
【００４６】
図１２は移動局の動作を示すフローチャートであり、先の第２の実施例の図９のフローチャートのＳ１０３の処理をＳ１２１に、Ｓ１０４の処理をＳ１２２に、それぞれ変更したものになっている。即ち、移動局は基地局との間でチャネル設定を行った後、所定の時間が経過するのを待ってから（Ｓ１２１）、Feedback
Indicatorと送信品質情報を同時に送信する（Ｓ１２２）。
【００４７】
図１３、図１４に本実施例の原理の概念図を示す。ＵＬ  ＤＰＣＨとＵＬ  ＨＳ−ＤＰＣＣＨは符号多重で設定してもよいし、時分割で設定してもよい。図１３は移動局が所定のタイミングから品質情報を所定の間隔で送信しており、品質情報とFeedbackを同時に送信している様子を示している。実施例では品質情報を基地局が受信してから直ぐに、該移動局にパケットデータを連続して送信しているが、送信開始の時間を所定のタイミングを遅らせても構わないし、またパケットデータを不連続で送信してもよい。
【００４８】
図１４は移動局が全パケットデータ受信の終了後、品質情報の送信を停止する様子を示している。品質情報の送信を停止するので、同時に送信するFeedback Indicatorの送信も停止する様子を示している。本実施例ではＵＬ  ＨＳ−ＤＰＣＣＨを開放して品質情報の送信を停止しているが、送信電力を小さくすることで品質情報の送信の停止を実現してもよい。
【００４９】
図１５に品質情報を送信するＵＬ  ＨＳ−ＤＰＣＣＨとFeedback Indicatorを送信するＵＬ  ＤＰＣＣＨの各フォーマットを示す。ＵＬ  ＨＳ−ＤＰＣＣＨは、第１の実施例の図７と同じである。ＵＬ  ＤＰＣＣＨはＰｉｌｏｔ信号（個別）と、ＴＦＣＩと、フィードバック情報（ＦＢＩ）と、送信電力制御情報（ＴＰＣ）とを有している。本実施例では、ＦＢＩの領域の一部をFeedback Indicatorのビットとして使っている。ＵＬ  ＤＰＣＨの代りに、ＵＬの共用チャネルを使用してもよい。
【００５０】
次に、本発明の第４の実施例を説明する。第４の実施例は第１の実施例と第３の実施例との処理を組み合わせたものである。即ち、基地局は移動局に対して、データ送信の予告通知とデータ送信の終了通知とを行い、移動局は、品質情報を報告する際、同時にFeedback Indicatorを送信する。
【００５１】
本実施例では、基地局が送信するデータ送信の予告通知を受信した後、移動局が品質情報を送信し、データ送信の終了通知を受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。更に、品質情報を送信する場合に、Feedback Indicatorを送信するので、基地局が確実に品質情報を受信することができる。
【００５２】
本実施例の基地局の動作は第１の実施例の図３と同じである。図１６は本実施例の移動局の動作を示すフローチャートである。図１６は第３の実施例の図１２のフローチャートのＳ１２１の処理をＳ１３１に、Ｓ１１０の処理をＳ１３２に、それぞれ変更したものになっている。即ち、チャネル設定をした後（Ｓ１０２）、移動局は基地局からデータ送信の予告通知を受信したか判定し（Ｓ１３１）、受信していれば、基地局にFeedback Indicatorと品質情報を同時に送信する（Ｓ１２２）。次に、基地局からデータ送信の終了通知を受信したか判定し（Ｓ１３２）、受信していれば、新たにパケットデータを要求していないか判定する（Ｓ１０６）。
【００５３】
図１７、図１８に本実施例の原理の概念図を示す。図１７は移動局がデータ送信の予告通知を受信後、所定のタイミングから品質情報を、所定の間隔で送信しており、品質情報とFeedback Indicatorを同時に送信している様子を示している。図１８は移動局がデータ送信の終了通知を受信後、品質情報の送信を停止する様子を示している。品質情報の送信を停止するので、同時に送信するFeedback Indicatorの送信も停止する様子を示している。本実施例では、ＵＬ  ＨＳ−ＤＰＣＣＨを開放して品質情報の送信を停止しているが、送信電力を小さくすることで品質情報の送信の停止を実現してもよい。
【００５４】
次に、本発明の第５の実施例を説明する。先の第４の実施例では、図３のフローチャートのＳ４において基地局がデータ送信の終了通知を行っているが、この第５の実施例ではこれを行わない。第５の実施例では、移動局が最後のパケットデータを受信したと判定すると、品質情報の報告を停止する。
【００５５】
本実施例では、基地局が送信するデータ送信の予告通知を受信した後、移動局が品質情報を送信し、最後のパケットデータを受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。更に、品質情報を送信する場合に、Feedback Indicatorを送信するので、基地局が確実に品質情報を受信することができる。なお、本実施例の基地局の動作は第２の実施例の図８のフローチャートと同じである。
【００５６】
図１９は本実施例の移動局の動作を示すフローチャートである。図１９は第４の実施例の図１６のフローチャートのＳ１３２の処理をＳ１４１に変更したものになっている。即ち、基地局にFeedback Indicatorと品質情報を同時に送信した後（Ｓ１２２）、最後のパケットを受信したか判定し（Ｓ１４１）、最後であれば、新たにパケットデータを要求していないか判定する（Ｓ１０６）。
【００５７】
図２０に本実施例の原理の概念図を示す。図２０は移動局が全パケットデータの受信の終了後、品質情報の送信を停止する様子を示している。品質情報の送信を停止するので、同時に送信するFeedback Indicatorの送信も停止する様子を示している。本実施例では、ＵＬ  ＨＳ−ＤＰＣＣＨを開放して品質情報の送信を停止しているが、送信電力を小さくすることで品質情報の送信の停止を実現してもよい。
【００５８】
次に、本発明の第６の実施例を説明する。本実施例では、基地局は品質情報を送信させるための閾値を移動局に制御情報として送信する。移動局は自身の品質情報を測定し、受信品質が閾値と同じか上回る場合、品質情報を報告する。その際、品質情報と同時に、Feedback Indicatorも送信する。
【００５９】
本実施例では、基地局との間でチャネル設定をしてから所定のタイミングで、移動局が品質情報を送信し、最後のパケットデータを受信した後、移動局が品質情報の送信を停止するので、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。更に、品質情報を送信する場合に、Feedback Indicatorを送信するので、基地局が確実に品質情報を受信することができる。更に、移動局の受信品質が閾値と同じか、上回る場合に品質情報を報告するので、誤り率の低い、高速伝送パケットサービスを実施することができる。
【００６０】
図２１、図２２は本実施例の動作を示すフローチャートである。図２１は基地局の動作を示すフローチャートであり、基地局において、移動局が品質情報を送信するための閾値を設定する処理動作を実現するものである。図２２は移動局の動作を示すフローチャートであり、基地局から受信する閾値を基に、受信品質が閾値を上回るか等しい場合に、品質情報を基地局に送信する移動局の処理動作を実現するものである。
【００６１】
図２１を参照すると、基地局は受信品質の閾値Ｐと、閾値を調整するオフセットΔＰと、移動局数の閾値Ｎを初期値として設定し、各移動局に送信する（Ｓ２０１）。次に、各移動局から品質情報を受信し（Ｓ２０２）、受信品質を報告した移動局がＮを超えたか判定する（Ｓ２０３）。報告した移動局数がＮを超えれば、受信品質がＮ番目に良い移動局の品質情報を新たに閾値Ｐとして設定し、報告移動局の数がＮとなるように、閾値Ｐを増加して各移動局に送信する（Ｓ２０４）。一方、報告した移動局数がＮ個より少なければ、Ｐ−ΔＰを新たにＰとして設定し、各移動局に送信する（Ｓ２０５）。
【００６２】
こうすることにより、品質情報を基地局へ報告する移動局の数が所定値Ｎに等しくなるように制御されるので、多数の移動局のうち、受信品質の良い一部の移動局だけがＵＬ  ＨＳ−ＤＰＣＣＨを設定するので、上り干渉波電力の低減が可能となり、また上り無線回線容量を増やすことができるのである。
【００６３】
図２２は第３の実施例の図１２のフローチャートのＳ１２２の処理をＳ１５１，Ｓ１５２に変更したものになっている。即ち、移動局は基地局との間でチャネル設定を行った後、所定の時間が経過するのを待ってから（Ｓ１２１）、受信品質を測定し（Ｓ１５１）、受信品質が基地局から通知された閾値Ｐを上回るか等しいか判定し（Ｓ１５２）、上回るか等しければ、Feedback Indicatorと送信品質情報を同時に送信する（Ｓ１２２）。
【００６４】
図２３に本実施例の原理の概念図を示す。図２３は、移動局が受信品質と閾値Ｐとを比較して、品質情報が閾値を上回るか等しくなった場合に、所定の間隔で品質情報とFeedback Indicatorを基地局に送信する様子を示している。図２３に示すように、最初は受信品質が閾値Ｐよりも小さいため品質情報を報告していないが、閾値Ｐを超えてから、受信品質の報告していることがわかる。
【００６５】
本実施例では閾値を図２１のフローチャートのように決めているが、他の閾値の決め方でもよい。例えば、基地局制御装置が決める方法もあるし、また、基地局に報告してきた全移動局の受信品質の平均値から一定の値を引いた値を算出し、それを閾値としてもよい。
【００６６】
図２４に閾値情報を送信するＤＬ  ＤＰＣＨと、品質情報を送信するＨＳ−ＤＰＣＣＨとFeedback Indicatorを送信するＵＬ  ＤＰＣＣＨの各フォーマットを示す。本発明の実施例では、ＴＦＣＩの領域の一部を閾値情報Ｐの送信用に使っている。ＤＬ  ＤＰＣＨの代わりに共用チャネルを使用してもよい。ＵＬ  ＨＳ−ＤＰＣＣＨ、ＵＬ  ＤＰＣＣＨは、第３の実施例の図１５と同じである。
【００６７】
次に、本発明の第７の実施例を説明する。本実施例は、基地局が移動局にデータの品質情報の報告を要求する指示情報（以下、Request Indicator ）を送信する。移動局はRequest Indicator のオンを連続で所定の回数（以下、Ｎon回）受信する場合、ＵＬ  ＨＳ−ＤＰＣＣＨで基地局に品質情報を送信する。また、移動局はRequest Indicator のオフを連続で所定の回数（以下、Ｎoff 回）受信する場合、品質情報の送信を停止する。
【００６８】
本実施例では、基地局が送信するRequest Indicator を受信して、品質情報の送信の開始及び停止を判定するので、移動局は基地局が必要な時にだけ品質情報を送信することができ、また、移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。
【００６９】
本実施例では、基地局を制御する基地局制御装置がＮonとＮoff の回数を設定し、ＤＬ  ＤＰＣＨを設定する際に基地局から移動局に通知する。本実施例では、Ｎon＝１回、Ｎoff ＝５回とする。Ｎon＜Ｎoff と設定することで、基地局が品質情報を必要な場合、速やかに移動局は品質情報を報告することができ、また基地局はオンで送信したが、受信状態が悪く、移動局がRequest Indicator をオフとして受信した場合でも、連続して受信を誤る確率は低いため、誤って品質情報の報告を停止することを防ぐことができる。
【００７０】
図２５、図２６は本実施例の動作を示すフローチャートである。図２５により、Request Indicator のオン、オフを設定する基地局の処理動作を実現できる。また、図２６により、基地局から受信するRequest Indicator を基に、品質情報の送信を開始及び停止する移動局の処理動作を実現できる。
【００７１】
図２５を参照すると、基地局は初期状態としてRequest Indicator をオフに設定する（Ｓ１１）。次に、基地局は移動局が要求したパケットデータが自身に到着したか判定し（Ｓ１２）、到着していれば、該移動局に送信するデータのパケットスケジュールを確認する（Ｓ１３）。確認の結果から、所定の時間内に該移動局にパケットデータを送信する予定があるかを判定し（Ｓ１４）、ある場合はRequest Indicator をオンに設定し（Ｓ１５）、ない場合はRequest Indicator をオフに設定する（Ｓ１６）。すなわち、パケットデータ送信の予定に応じて（パケットデータ送信に応じて）Request Indicator のオンオフを設定するのである。Request Indicator を設定した後、送信するパケットデータが該移動局に送信する最後のパケットデータか判定し（Ｓ１７）、最後であれば、次から該移動局へ送信するRequest Indicator をオフに設定する（Ｓ１８）。すなわち、最後のパケットデータ送信に応じてRequest Indicator をオフとする。
【００７２】
図２６は先の第２の実施例の図９のＳ１０３の処理をＳ１６１，Ｓ１６２にそれぞれ変更したものになっている。即ち、チャネル設定をした後（Ｓ１０２）、移動局はRequest Indicator をオンで受信したか判定し（Ｓ１６１）、オンであれば、品質情報を基地局へ送信する（Ｓ１０４）。オフであれば、オフを受信して連続５回以上か判定し（Ｓ１６２）、５回未満であれば、品質情報を基地局へ送信する（Ｓ１０４）。
【００７３】
図２７に本実施例の原理の概念図を示す。図２７はRequest Indicator をオンで受信した場合と、Request Indicator をオフで５回未満受信した場合、所定の間隔で品質情報を基地局へ送信する様子を示している。また、Request Indicator をオフで５回以上受信した場合、品質情報の送信を停止する様子を示している。図２８にRequest Indicator を送信するＤＬ  ＤＰＣＨと、品質情報を送信するＨＳ−ＤＰＣＣＨの各フォーマットを示す。本発明の実施例では、ＴＦＣＩの領域の一部をRequest Indicator 用のビットとして使っている。ＬＤ  ＤＰＣＨの代わりに、ＤＬの共用チャネルを使用してもよい。ＵＬ  ＨＳ−ＤＰＣＣＨは第１の実施例の図７と同じである。
【００７４】
次に、本発明の第８の実施例を説明する。本実施例は先の第７の実施例において、品質情報を送信する際、同時にFeedback Indicatorを送信する。本実施例では、基地局が送信するRequest Indicator を受信して、品質情報の送信の開始及び停止を判定するので、移動局は基地局が必要な時にだけ品質情報を送信することができ、また移動局のバッテリー動作時間が向上する。更に、品質情報の送信を停止する場合、上り品質制御用チャネルを開放するので、多数の移動局の中で一部の移動局だけがＵＬ  ＨＳ−ＤＰＣＣＨを設定することになり、上り干渉電力を低減でき、上り無線回線容量を増やすことができる。更に、品質情報を送信する場合に、Feedback Indicatorを送信するので、基地局が確実に品質情報を受信することができる。なお、基地局の動作は先の第７の実施例の図２５と同じである。
【００７５】
図２９は本実施例の移動局の動作を示すフローチャートである。図２９は第７の実施例の図２６を参照すると、Ｓ１０４の処理をＳ１７１に変更したものになっている。即ち、基地局に、Feedback Indicatorと送信品質情報を同時に送信する（S171）。図３０に本実施例の原理の概念図を示す。図３０は、第７の実施例の図２７を参照すると、ＵＬ  ＤＰＣＣＨが追加され、移動局が品質情報を送信する場合、同時にFeedback Indicatorが送信される様子を示している。
【００７６】
なお、上述した各実施例における基地局や移動局の動作を示すフローチャートの処理は、予めこれ等処理手順を記録媒体に格納しておき、これをコンピュータにより読取って実行させるように構成することもできることは明白である。
【００７７】
【発明の効果】
以上述べた如く、本発明によれば、以下の効果が得られる。第１の効果は、移動局の消費電力が小さくなってバッテリの動作時間が向上することである。その理由は、移動局において、品質情報の基地局への送信の停止制御を行うようにすると共に、パイロット信号の受信品質の測定を停止できるからである。
【００７８】
第２の効果は、上り回線（ＵＬ）の干渉波電力を低減でき、上り無線回線容量が増加することである。その理由は、ＵＬ  ＨＳ−ＤＰＣＣＨの送信時間率が大幅に減少するからである。
【００７９】
第３の効果は、基地局が必要なタイミングで移動局から品質情報を受信できることである。その理由は、ＵＬ  ＨＳ−ＤＰＣＣＨを必要な場合にのみ設定し、移動局に対して品質情報を送信させるようにしたためである。
【図面の簡単な説明】
【図１】本発明の実施例における移動局のブロック図である。
【図２】本発明の実施例における基地局のブロック図である
【図３】本発明の第１の実施例の基地局の動作を示すフローチャートである。
【図４】本発明の第１の実施例の移動局の動作を示すフローチャートである。
【図５】第１の実施例の原理を説明するための図である。
【図６】第１の実施例の原理を説明するための図である。
【図７】第１の実施例に用いるＤＬ  ＤＰＣＨとＵＬ  ＨＳ−ＤＰＣＣＨの各フォーマット例を示す図である。
【図８】本発明の第２の実施例の基地局の動作を示すフローチャートである。
【図９】本発明の第２の実施例の移動局の動作を示すフローチャートである。
【図１０】第２の実施例の原理を説明するための図である。
【図１１】本発明の第３の実施例の基地局の動作を示すフローチャートである。
【図１２】本発明の第３の実施例の移動局の動作を示すフローチャートである。
【図１３】第３の実施例の原理を説明するための図である。
【図１４】第３の実施例の原理を説明するための図である。
【図１５】第３の実施例に用いるＵＬ  ＨＳ−ＤＰＣＣＨとＵＬ  ＤＰＣＣＨの各フォーマットを示す図である。
【図１６】本発明の第４の実施例の移動局の動作を示すフローチャートである。
【図１７】第４の実施例の原理を説明するための図である。
【図１８】第４の実施例の原理を説明するための図である。
【図１９】本発明の第５の実施例の移動局の動作を示すフローチャートである。
【図２０】第５の実施例の原理を説明するための図である。
【図２１】本発明の第６の実施例の基地局の動作を示すフローチャートである。
【図２２】本発明の第６の実施例の移動局の動作を示すフローチャートである。
【図２３】第６の実施例の原理を説明するための図である。
【図２４】第６の実施例におけるＤＬ  ＤＰＣＨ，ＵＬ  ＨＳ−ＤＰＣＣＨ、ＵＬ  ＤＰＣＣＨの各フォーマット例を示す図である。
【図２５】本発明の第７の実施例の基地局の動作を示すフローチャートである。
【図２６】本発明の第７の実施例の移動局の動作を示すフローチャートである。
【図２７】第７の実施例の原理を説明するための図である。
【図２８】第７の実施例におけるＤＬ  ＤＰＣＨ，ＵＬ  ＨＳ−ＤＰＣＣＨの各フォーマット例を示す図である。
【図２９】本発明の第８の実施例の移動局の動作を示すフローチャートである。
【図３０】第８の実施例の原理を説明するための図である。
【符号の説明】
１１，２１  送受信共用器
１２，２２  受信部
１３  チャネル分離部
１４  ＤＰＣＣＨ検出部
１５，２４  送信制御部
１６  ＣＰＩＣＨ検出部
１７  スイッチ
１８  電力測定部
１９，２５  合成部
２０，２６  送信部
【図１】
0003675433.tif 000002
【図２】
0003675433.tif 000003
【図３】
0003675433.tif 000004
【図４】
0003675433.tif 000005
【図５】
0003675433.tif 000006
【図６】
0003675433.tif 000007
【図７】
0003675433.tif 000008
【図８】
0003675433.tif 000009
【図９】
0003675433.tif 000010
【図１０】
0003675433.tif 000011
【図１１】
0003675433.tif 000012
【図１２】
0003675433.tif 000013
【図１３】
0003675433.tif 000014
【図１４】
0003675433.tif 000015
【図１５】
0003675433.tif 000016
【図１６】
0003675433.tif 000017
【図１７】
0003675433.tif 000018
【図１８】
0003675433.tif 000019
【図１９】
0003675433.tif 000020
【図２０】
0003675433.tif 000021
【図２１】
0003675433.tif 000022
【図２２】
0003675433.tif 000023
【図２３】
0003675433.tif 000024
【図２４】
0003675433.tif 000025
【図２５】
0003675433.tif 000026
【図２６】
0003675433.tif 000027
【図２７】
0003675433.tif 000028
【図２８】
0003675433.tif 000029
【図２９】
0003675433.tif 000030
【図３０】
0003675433.tif 000031